(57)【特許請求の範囲】
【請求項１】
はね出し部外壁の下端部と軒天材との取合い部分において上記外壁の下端部に沿って延長配置され、上記外壁の表面を流下する水の水切りをしつつ、内壁との間に形成された上記外壁の背面側の通気空間、及び上記軒天材の裏面側の通気空間に各々外気を導入する箱形形状の通気水切り部材であって、上記外壁側に配設され、上記外壁の下端が接続すると共に水切り片を備えた前面プレート部と、上記内壁側に配設され、上記軒天材を支持すると共に該軒天材の裏面側へ外気を導入する横方向導入穴を備えた背面プレート部と、上記前面プレート部の上端部分と上記背面プレート部とを接続すると共に上記外壁の背面側へ外気を導入する縦方向導入穴を備えた上面プレート部と、上記前面プレート部の下端部分と上記背面プレート部の下端部分とを接続すると共に上記箱形形状の内部の連通空間へ外気を導入する外気導入穴を備えた下面プレート部とからなり、且つ上記連通空間には、熱により膨張する不燃性体積膨張材を配設し、出火時の熱により上記不燃性体積膨張材を膨張させて、上記連通空間を介した上記各通気空間への火炎の流通を遮断することを特徴とする外壁軒天取合い部通気水切り部材。
【請求項２】
上記箱形形状の内部の連通空間には、上記外気導入穴から上記横方向導入穴及び縦方向導入穴への外気の流通路を横断するように配設されると共に通気開口を有する横断プレートを設置し、該通気開口の上端縁部又は下端縁部に回転可能に取り付けられて上記通気開口を開閉する蓋部材を設け、上記不燃性体積膨張材を、開放時の上記蓋部材によって覆われた状態で上記蓋部材に沿って固着し、出火時の熱により上記不燃性体積膨張材を膨張させ上記蓋部材を押圧することにより上記通気開口を閉塞して、前記外気導入穴から上記状横方向導入穴及び縦方向導入穴への火炎の流通を遮断する請求項１記載の外壁軒天取合い部通気水切り部材。
【発明の詳細な説明】
【０００１】
【発明の属する技術分野】
本発明は、はね出し部外壁の下端部と軒天材との取合い部分に配置され、外壁の表面を流下する水の水切りをしつつ、外壁の背面側の通気空間及び軒天材の裏面側の通気空間に外気を導入する箱形形状の通気水切り部材に関する。
【０００２】
【従来の技術及び発明が解決しようとする課題】
例えば家屋建物の一階部分の外壁の下端部における基礎部材との間や、上階部分の外壁の下端部における下階の屋根材との間には、これらの外壁を構成する壁体の背面に外気を導入して、結露やカビ、あるいは壁体の反り等を防止するための手段として通気水切り材を設けたものが知られている。この通気水切り材は、ステンレス等の金物等からなる不燃性の部材であって、外壁の下方に位置する基礎部材や屋根部材と当該外壁との間に空間を保持して、外壁の背面に形成した通気空間への外気の導入路を形成すると共に、下方に突出する水切片を備え、外壁の下端部に沿って建築物側に回り込もうとする水を遮断する。
【０００３】
一方、バルコニーやオーバーハング部等の家屋建物の外壁面から外側にはね出すはね出し部においては、当該はね出し部の外壁の下方には基礎部材や屋根部材は存在せず、また外壁の水切り、及び外壁の背面側や軒天材の裏面側への外気の導入を図る通気水切り部材は特に設けられていなかった。またはね出し部は、敷地境界に近接するケースが多く、隣家とのはなれ寸法が少いため、火災の影響を最も受やすかった。そして、外気を導入するために外壁の背面側や軒天材の裏面側に通気空間を設けた場合、基礎部材や屋根部材等による障害がないことから当該通気空間に外気が流入し易く、従って火災時には火炎も侵入し易い。よって、通気水切り部材を設ける際の防火対策が重要である。
【０００４】
本発明は、はね出し部外壁の下端部と軒天材との取合い部分に配置されて、外壁の表面を流下する水の水切りを容易に行うことができると共に、外壁の背面側の通気空間及び軒天材の裏面側の通気空間に各々外気を容易に導入することができ、また火災時における防火機能に優れた外壁軒天取合い部通気水切り部材を提供することを目的とする。
【０００６】
【課題を解決するための手段】
本発明は、はね出し部外壁の下端部と軒天材との取合い部分において上記外壁の下端部に沿って延長配置され、上記外壁の表面を流下する水の水切りをしつつ、内壁との間に形成された上記外壁の背面側の通気空間、及び上記軒天材の裏面側の通気空間に各々外気を導入する箱形形状の通気水切り部材であって、上記外壁側に配設され、上記外壁の下端が接続すると共に水切り片を備えた前面プレート部と、上記内壁側に配設され、上記軒天材を支持すると共に該軒天材の裏面側へ外気を導入する横方向導入穴を備えた背面プレート部と、上記前面プレート部の上端部分と上記背面プレート部とを接続すると共に上記外壁の背面側へ外気を導入する縦方向導入穴を備えた上面プレート部と、上記前面プレート部の下端部分と上記背面プレート部の下端部分とを接続すると共に上記箱形形状の内部の連通空間へ外気を導入する外気導入穴を備えた下面プレート部とからなり、且つ上記連通空間には、熱により膨張する不燃性体積膨張材を配設し、出火時の熱により上記不燃性体積膨張材を膨張させて、上記連通空間を介した上記各通気空間への火炎の流通を遮断することを特徴とする外壁軒天取合い部通気水切り部材を提供することにより、上記目的を達成したものである（請求項１記載の発明）。
【０００７】
そして、本発明の外壁軒天取合い部通気水切り部材は、上記箱形形状の内部の連通空間には、上記外気導入穴から上記横方向導入穴及び縦方向導入穴への外気の流通路を横断するように配設されると共に通気開口を有する横断プレートを設置し、該通気開口の上端縁部又は下端縁部に回転可能に取り付けられて上記通気開口を開閉する蓋部材を設け、上記不燃性体積膨張材を、開放時の上記蓋部材によって覆われた状態で上記蓋部材に沿って固着し、出火時の熱により上記不燃性体積膨張材を膨張させ上記蓋部材を押圧することにより上記通気開口を閉塞して、前記外気導入穴から上記状横方向導入穴及び縦方向導入穴への火炎の流通を遮断するようにすることが好ましい（請求項２記載の発明）。
【０００８】
なお、上記記載におけるはね出し部外壁の下端部と軒天材との取合い部分には、一般の外壁よりはね出し突出し、はね出した先端が下方に設けた柱によって支持されるバルコニー等の外壁の下端部と軒天材との取り合い部分も含まれる。
【０００９】
【発明の実施の形態】
本発明の好ましい実施形態を添付図面を参照しつつ詳細に説明する。本実施形態の外壁軒天取合い部通気水切り部材１０は、図１及び図２に示すように、家屋建物１１の１階の外壁面１２から外側にはね出すはね出し部である２階オーバーハング部１３の外壁１４の下端部と軒天材１５との取合い部分に取り付けられて使用される。すなわち通気水切り部材１０は、オーバーハング部１３の外壁１４の下端部に沿って延長配置され、外壁１４の表面を流下する水の水切りをしつつ、内壁１７との間に形成された外壁１４の背面側の第１通気空間１８、及び軒天材１５の裏面側の第２通気空間１９に各々外気を導入するために使用される。
【００１０】
そして、本実施形態の外壁軒天取合い部通気水切り部材１０は、図２及び図３に示すように、外壁１４側に配設され、外壁１４の下端が接続されると共に水切り片２０を水切り手段として備えた前面プレート部２１と、内壁１７側に配設され、軒天材１５を支持すると共にこの軒天材１５の裏面側へ外気を導入する横方向導入穴２３を備えた背面プレート部２４と、前面プレート部２１の上端部分と背面プレート部２４とを接続すると共に外壁１４の背面側へ外気を導入する縦方向導入穴２５を備えた上面プレート部２６と、前面プレート部２１の下端部分と背面プレート部２４の下端部分とを接続すると共に箱形形状の内部の連通空間２７へ外気を導入する外気導入穴２８を備えた下面プレート部２９とによって構成される。また、連通空間２７には、熱により膨張する防火手段としての不燃性体積膨張材３０が配設されていて、出火時の熱によりこの不燃性体積膨張材３０を膨張させて、連通空間２７を介した第１通気空間１８及び第２通気空間１９への火炎の流通を遮断することができるようになっている。
【００１１】
本実施形態によれば、外壁１４は、内壁１７に取り付けられた縦胴縁を介して内壁１７から２０ｍｍ程度の間隔をおいて設置されたラス板にモルタルを塗着することにより構成され、内壁１７との間に保持された上記間隔によって、外壁１１の背面側には第１通気空間１８が形成される。
【００１２】
また、軒天材１５は、平板状の軒天板の表面（下面）を軒天仕上材で覆って構成され、オーバーハング部１３の床部材３２との間に間隔を保持した状態で、その一端が一階の家屋建物１１の外壁面１２（図１参照）に、他端が後述する背面プレート部２４の軒天材係止部３３に各々支持されて設置され、床部材３２との間に保持された上記間隔によって、軒天材１５の裏面側には第２通気空間１９が形成される。
【００１３】
通気水切り材１３を構成する前面プレート部２１は、不燃性でかつ溶融温度の高いステンレス板を加工して形成され、外壁１４の背面に沿って垂直に延設される垂直プレート３４と、この垂直プレート３４から外壁１４の下方を横断して斜め下方に延設した後、さらに垂直下方に延設する水切り片２０とからなり、水切り片２０の先端は、外側に向かって斜め下方に突出している。この水切り片２０によって、外壁１１の表面に沿って流下する雨水等の水は、外壁１４の背面側に回り込むことなく水切りされて、下方に落下する。なお、垂直プレート３４には、前方に突出する突起４０が多数設けられていて、外壁１４を構成するモルタルとの付着を強固にしている。
【００１４】
背面プレート部２４は、前面プレート部２１と同様に不燃性でかつ溶融温度の高いステンレス板を加工して形成され、上部に配置される垂直片３８と水平片３９とからなる断面Ｌ字型の固定プレート３６と、この固定プレート３６から垂直下方に延設す仕切プレート３７と、この仕切プレート３７の下端部に接合される断面が外側に向ってコの字形状の軒天材係止部３３とによって構成される。また、仕切プレート３７には、当該仕切プレート３７に沿って多数の横方向導入穴２３が開口形成されていて、通気水切り材１０の内部の連通空間２７と、軒天材１５の裏面側の第２通気空間１９とを連通している。
【００１５】
上面プレート部２６もまたステンレス板を加工して形成され、その一端が前面プレート部２１の垂直プレート３４の上端部分に、他端が背面プレート部２４の垂直片３８の中間部分に各々溶着固定されることにより、前面プレート部２１と背面プレート部２４とを接続一体化する。また、上面プレート部２６には、当該上面プレート部２６に沿って多数の縦方向導入穴２５が開口形成され、通気水切り材１０の内部の連通空間２７と、外壁１４の背面側の第１通気空間１８とを連通している。
【００１６】
下面プレート部２９もまたステンレス板を加工して形成され、その一端が前面プレート部２１の水切り片２０の下端部分に、他端が背面プレート部２４の軒天材係止部３３の下端部分に各々溶着固定されることにより、前面プレート部２１と背面プレート部２４とを接続一体化する。また、下面プレート部２９には、当該下面プレート部２９に沿って多数の外気導入穴２８が開口形成され、通気水切り材１０の内部の連通空間２７と外気とを連通している。なお、外気導入穴２８の開口面積は、横方向導入穴２３の開口面積と縦方向導入穴２５の開口面積とを合算した開口面積より大きく設定されている。
【００１７】
そして、本実施形態によれば、さらに、箱形形状の通気水切り材１０の内部の連通空間２７には、外気導入穴２８から横方向導入穴２３及び縦方向導入穴２５への外気の流通路を横断するように配設されると共に、通気開口４１を有する横断プレート４２が設置されている。また、通気開口４１の上端縁部には、ヒンジ４４を介して蓋部材４３が回転可能に取り付けられ、通気開口４１を開閉できるようになっている。さらに、上記不燃性体積膨張材３０が、開放時の蓋部材４３によって覆われた状態で当該蓋部材４３に沿って固着されている。
【００１８】
横断プレート４２は、ステンレス板を加工して形成され、その一端が上面プレート部２６の縦方向導入穴２５の外側の開口縁部に、他端が背面プレート部２４の横方向導入穴２３の下側の開口縁部に各々溶着固定されることにより、斜めに延設して設置されている。また、横断プレート４２には、当該横断プレート４２に沿って帯状の通気開口４１が開口形成され、外気を流通させることができるようになっている。
【００１９】
蓋部材４３は、ステンレス板による薄い帯板部材であって、通気開口４１の上端縁部の裏側に取り付けられたヒンジ４４から垂下された状態においては、通気開口４１を開放させると共に、横断プレート４２方向に回転してこれと密着した状態（破線参照）においては、通気開口４１を閉塞するようになっている。
【００２０】
不燃性体積膨張材３０は、ヒンジ４４から垂下して開放状態のにある蓋部材４３によって覆われると共に、当該蓋部材４３と前面プレート部２１の垂直プレート３４との間に挟まれた状態で、接着剤等を介して固着される。この不燃性体積膨張材３０は、一般に不燃性体積膨張材として使用されている膨張性グラファイト系の防炎、防煙用のシール材料であって、通過熱風温度が１５０〜１７０゜Ｃで約１０倍に膨張する性質を有している。この不燃性体積膨張材３０としては、例えば、オーストリアケミー・リンツ社製の「インツメックス」や、特公昭６３−１３２９６８号（発明の名称「防火組成物」）、特公平３−２３５号（発明の名称「防火・耐火被覆マット」）等に示される商品や技術が使用される。また、この不燃性体積膨張材３０は、加熱温度が８５０゜Ｃになっても、燃焼あるいは溶解しない性質を有している。
【００２１】
上記構成を有する本実施形態の外壁軒天取合い部通気水切り部材１０は、オーバーハング部１３の床部材３２を構成する例えば床梁の角部に、背面プレート部２４のＬ型断面の固定プレート３６を密着させた状態で、垂直片３８及び水平片３９にビス４５を各々打込むことによって、外壁１４の下端部と軒天材１５との取合い部分に一体として強固に固定される。また、前面プレート部２１の水切り片２０の上方には外壁１４を構成するモルタルが塗着されて、外壁１４の下端が通気水切り部材１０に接続される。さらに、背面プレート部２４の軒天材係止部３３には、軒天材１５の端縁部が嵌合係止されて、当該軒天材１５の一端が支持される。
【００２２】
そして、本実施形態の外壁軒天取合い部通気水切り部材１０によれば、火災の生じていない平常時においては、水切り片２０によって外壁１４の表面を流下する水の水切りがなされると共に、外気導入穴２８から導入された外気は、連通空間２７を経て、横方向導入穴２３や縦方向導入穴２５から第２通気空間１９或いは第１通気空間１８に各々容易に流入する。一方、火災時においては、不燃性体積膨張材３０が熱風を受けてその体積を膨張させ、連通空間２７を充満するように膨らむと共に、蓋部材４３を押圧して回転させることにより通気開口４１を閉塞し、外気導入穴２８から横方向導入穴２３及び縦方向導入穴２５への火炎の流通を遮断する。
【００２３】
すなわち、本実施形態の外壁軒天取合い部通気水切り部材１０によれば、はね出し部である２階オーバーハング部１３の外壁１４の下端部と軒天材１５との取合い部分に配置されて、外壁１４の表面を流下する水の水切りを容易に行うことができると共に、外壁１４の背面側の第１通気空間１８及び軒天材１５の裏面側の第２通気空間１９に各々外気を容易に導入することができ、また火災時における防火機能を容易かつ効果的に発揮することができる。
【００２４】
なお、本発明は上記実施形態に限定されることなく種々の変更が可能である。例えば、外壁はモルタルを塗着して構成されるものである必要は必ずしもなく、図４に示すように、サイディング材４６を取り付けて外壁１４とすることもできる。この際には、通気水切り部材１０を構成する前面プレート部２１の垂直プレート３４には、引っ掛け係止片４７を突出配置し、これにサイディング材４６の下端を係止して支持させることにより、サイディング材４６からなる外壁１４の下端を通気水切り部材１０に接続する。また、連通空間に横断プレートやこれの通気開口を開閉する蓋部材を設ける必要は必ずしもなく、連通空間に設けた不燃性体積膨張材の膨張のみによって、火炎の流通を遮断することもできる。
【００２５】
【発明の効果】
以上詳細に説明したように、本発明の外壁軒天取合い部通気水切り部材によれば、はね出し部外壁の下端部と軒天材との取合い部分に配置されて、外壁の表面を流下する水の水切りを容易に行うことができると共に、外壁の背面側の通気空間及び軒天材の裏面側の通気空間に各々外気を容易に導入することができ、また火災時における防火機能を容易かつ効果的に発揮することができる。
【図面の簡単な説明】
【図１】本発明の一実施形態に係る外壁軒天取合い部通気水切り部材が設けられるはね出し部外壁の下端部と軒天材との取合い部分を説明する略示断面図である。
【図２】本発明の一実施形態に係る外壁軒天取合い部通気水切り部材を示す図１のＡ部拡大図である。
【図３】本発明の一実施形態に係る外壁軒天取合い部通気水切り部材の破断斜視図である。
【図４】他の実施態様を例示する断面図である。
【符号の説明】
１０  外壁軒天取合い部通気水切り部材
１３  ２階オーバーハング部（はね出し部）
１４  外壁
１５  軒天材
１７  内壁
１８  第１通気空間（外壁の背面側の通気空間）
１９  第２通気空間（外壁の背面側の通気空間）
２０  水切り片（水切り手段）
２１  前面プレート部
２３  横方向導入穴
２４  背面プレート部
２５  縦方向導入穴
２６  上面プレート部
２７  連通空間
２８  外気導入穴
２９  下面プレート部
３０  不燃性体積膨張材（防火手段）
３３  軒天材係止部
４１  通気開口
４２  横断プレート
４３  蓋部材（防火手段）
４４  ヒンジ（防火手段）
４６  サイディング材
４７  引っ掛け係止片
【図１】
0004087535.tif 000002
【図２】
0004087535.tif 000003
【図３】
0004087535.tif 000004
【図４】
0004087535.tif 000005